(57)【要約】【課題】散薬の種類によって包装袋の接合不良が発生する可能性を低減することが可能な仕組みを提供すること。【解決手段】散薬の種類を示す情報によって特定される散薬の種類によって、包装袋の１包の大きさを決定する。【選択図】図１５
2017114489.tif 000002
【特許請求の範囲】
【請求項１】
散薬を包装するための包装袋に散薬を投入する投入手段と、
前記投入手段により投入された散薬を前記包装袋により１包分ごとに包装する包装手段と、
前記包装手段により散薬を包装する前記包装袋の１包の大きさを制御する制御手段と、
前記投入手段により投入する散薬の種類を示す情報を取得する取得手段と、
前記取得手段により取得した散薬の種類を示す情報によって特定される散薬の種類によって、前記包装袋の１包の大きさを決定する決定手段と、
を備え、
前記制御手段は、前記決定手段により決定した大きさとなるように前記包装手段により散薬を包装する前記包装袋の１包の大きさを制御することを特徴とする薬剤包装装置。
【請求項２】
前記決定手段は、前記取得手段により取得した散薬の種類を示す情報によって特定される散薬の種類が所定の種類である場合に、当該所定の種類の散薬でない散薬を包装する場合よりも前記包装袋の１包の大きさが大きくなるように決定することを特徴とする請求項１に記載の薬剤包装装置。
【請求項３】
前記所定の種類の散薬とは、散剤であることを特徴とする請求項２に記載の薬剤包装装置。
【請求項４】
前記取得手段は、更に、前記投入手段により投入する散薬の１包ごとの量を取得し、
前記決定手段は、前記取得手段により取得した散薬の１包ごとの量が、当該散薬の種類に応じた所定の量以上である場合に、当該散薬の種類に応じた所定の量より当該散薬の１包ごとの体積が小さい場合より前記包装袋の１包の大きさが大きくなるように決定することを特徴とする請求項１乃至３のいずれか１項に記載の薬剤包装装置。
【請求項５】
散薬を包装するための包装袋に散薬を投入する投入手段と、前記投入手段により投入された散薬を前記包装袋により１包分ごとに包装する包装手段とを備える薬剤包装装置の制御方法であって、
前記薬剤包装装置の取得手段が、前記投入手段により投入する散薬の種類を示す情報を取得する取得工程と、
前記薬剤包装装置の決定手段が、前記取得工程で取得した散薬の種類を示す情報によって特定される散薬の種類によって、前記包装袋の１包の大きさを決定する決定工程と、
前記薬剤包装装置の制御手段が、前記決定工程で決定した大きさとなるように前記包装手段により散薬を包装する前記包装袋の１包の大きさを制御することを特徴とする薬剤包装装置の制御方法。
【発明の詳細な説明】
【技術分野】
【０００１】
本発明は、薬剤包装装置、薬剤包装装置の制御方法に関し、特に、散薬の種類によって包装袋の接合不良が発生する可能性を低減する仕組みに関する。
【背景技術】
【０００２】
従来、調剤業務において薬剤の一包化を行うには薬剤包装装置が使用されている。
薬剤包装装置において薬剤を包装する方法としては、ホッパーを介して分包紙（包装袋ともいう）内へ薬剤を投入した後、分包紙を熱溶着して密封する方法が一般的である。
【０００３】
ここで、分包する薬剤の量によって、分包紙で形成する適切な袋長（シール幅とも呼ぶ）は様々であるが、特許文献１では、薬剤の種類および量に基づいて、分包袋長を決定する方法が示されている。
【０００４】
ところで、薬剤包装装置で包装する薬剤は、錠剤と散薬とに大きく分かれ、どちらの薬剤も形状や重量、粒子の大きさ等、それらの性質や特徴は様々である。
【０００５】
このうち、散薬に関しては、分包紙で１包に包装する量がある量を超えると、ホッパーから分包紙内へ散薬が投入された後に、散薬が分包紙内に拡散し、分包紙の、当該分包紙を閉じるべく溶着する溶着部分まで拡散する場合がある（後述する図８および図９を参照）。
【０００６】
散薬が分包紙の溶着部分まで拡散した状態で分包紙の溶着を行うと、溶着部分に散薬が噛み込み、溶着不良となって薬剤が密封できないという課題が発生する恐れがある。
【先行技術文献】
【特許文献】
【０００７】
【特許文献１】特開２０００−７９９０２号公報
【発明の概要】
【発明が解決しようとする課題】
【０００８】
特許文献１で示された技術は、分包する薬剤の種類（錠剤であるか散薬であるか）および量によって適切な分包袋長を決定する技術であるが、投入により拡散した散剤（粉末状の薬）が、分包紙に噛み込むことによる溶着不良の可能性を考慮していない、つまり、散薬の種類を考慮していないため、特許文献１に記載の技術を用いたとしても、上述した課題は解決することが出来ない恐れがある。
【０００９】
本発明は、散薬の種類によって包装袋の接合不良が発生する可能性を低減することが可能な仕組みを提供することを目的とする。
【課題を解決するための手段】
【００１０】
本発明は、散薬を包装するための包装袋に散薬を投入する投入手段と、前記投入手段により投入された散薬を前記包装袋により１包分ごとに包装する包装手段と、前記包装手段により散薬を包装する前記包装袋の１包の大きさを制御する制御手段と、前記投入手段により投入する散薬の種類を示す情報を取得する取得手段と、前記取得手段により取得した散薬の種類を示す情報によって特定される散薬の種類によって、前記包装袋の１包の大きさを決定する決定手段と、を備え、前記制御手段は、前記決定手段により決定した大きさとなるように前記包装手段により散薬を包装する前記包装袋の１包の大きさを制御することを特徴とする。
【００１１】
また、本発明は、散薬を包装するための包装袋に散薬を投入する投入手段と、前記投入手段により投入された散薬を前記包装袋により１包分ごとに包装する包装手段とを備える薬剤包装装置の制御方法であって、前記薬剤包装装置の取得手段が、前記投入手段により投入する散薬の種類を示す情報を取得する取得工程と、前記薬剤包装装置の決定手段が、前記取得工程で取得した散薬の種類を示す情報によって特定される散薬の種類によって、前記包装袋の１包の大きさを決定する決定工程と、前記薬剤包装装置の制御手段が、前記決定工程で決定した大きさとなるように前記包装手段により散薬を包装する前記包装袋の１包の大きさを制御することを特徴とする。
【発明の効果】
【００１２】
本発明によると、散薬の種類によって包装袋の接合不良が発生する可能性を低減することができる。
【図面の簡単な説明】
【００１３】
【図１】薬剤包装システムを示す図である。
【図２】薬剤包装装置の内部構造を示す図である。
【図３】上部カバーを右上方向から見た図である。
【図４】散薬分割マスを横から見た図である。
【図５】薬剤包装装置の包装部の内部構造を示す図である。
【図６】薬剤包装装置の包装部の内部構造を示す図である。
【図７】包装部の一部を上から見た図である。
【図８】分包紙の溶着部分まで散薬が拡散した状態を示す図である。
【図９】分包紙の溶着部へ散薬が噛み込んだ状態を示す図である。
【図１０】本発明に係る薬剤包装システムのハードウェアブロック図である。
【図１１】本発明におけるシール幅を決定するフローチャートの一例を示す図である。
【図１２】本発明における処方データのデータ構成を示す図である。
【図１３】本発明における薬品マスタのデータベース内容を示す図である。
【図１４】薬剤包装装置５の外部メモリ２１１で記憶する、シール幅を記憶するシール幅テーブルである。
【図１５】本発明において、薬剤包装装置５のＣＰＵ５１によるシール幅制御の処理を示すフローチャートである。
【図１６】薬剤包装装置５の外部メモリ２１１で記憶する、シール幅を記憶するシール幅テーブルである。
【発明を実施するための形態】
【００１４】
以下、図面を用いて、本発明の薬剤包装システムについて説明する。
まず図１について説明する。
【００１５】
図１は、薬剤包装装置５と情報処理装置３００からなる薬剤包装システムを示す図である。
【００１６】
５は、散薬および錠剤を包装することのできる薬剤包装装置である。
【００１７】
１０１は、Ｖマスであり、包装する総量の散薬を投入する部分である。
【００１８】
１０２は、前扉であり、包装部（図５）のカバーとなっている。左端を軸として開閉する。
【００１９】
１０３は、錠剤マスであり、包装する錠剤を１包分の錠剤＝１マスに対応させて投入する部分である。
【００２０】
１０４は、操作パネルであり、分包の条件設定や分包の開始、停止等の操作を行う部分である。また、処方内容の入力や薬剤包装装置の操作を行う部分である。
【００２１】
１０５は、上部カバーである。後方端を軸として、手前側が上方向へ開く構造となっている。Ｖマス１０１、錠剤マス１０３、操作パネル１０４は上部カバーに対して装備されているため、上部カバーを開くと、これらも併せて開く。
【００２２】
３００は、情報処理装置であり、薬剤包装装置５と通信インターフェースで接続している。処方内容の入力や薬剤包装装置の操作を行う部分である。
【００２３】
図２は、上部カバー１０５を開いた状態であり、薬剤包装装置５の内部構造を示す図である。
【００２４】
２０１は錠剤シャッターであり、上部カバー１０５を閉じた状態では錠剤マス１０３の底面に位置している。錠剤シャッター２０１が左側へスライドすることによって、錠剤マス内の錠剤が錠剤スライド部２０２へ落下する構造となっている。
【００２５】
２０２は錠剤スライド部である。錠剤スライド部２０２も錠剤マス１０３と同様にマス状になっており、錠剤マス１０３とそれぞれのマス位置が対応している。錠剤スライド部２０２は、錠剤マス１０３から落下した錠剤を左方向へスライド搬送する。錠剤スライド部２０２左端の下部には錠剤ホッパー２０３があり、錠剤スライド部２０２内の錠剤を順に錠剤ホッパーへ落下させることができる。
【００２６】
２０３は、錠剤ホッパーであり、錠剤スライド部２０２から落下した錠剤を後述するメインホッパーへ導く部分である。
【００２７】
２０４は、散薬分割マスである。左右方向にマスが連結しており、それぞれのマス間は薄い仕切壁になっている。各マスは散薬分割マスレールのＲ形状沿って移動できるよう、分離屈曲することができる。Ｖマス１０１が開くと、散薬分割マス２０４へ向けて散薬が落下し、散薬分割マス２０４によって散薬が均等に分割される。
【００２８】
２０５は、散薬分割マスレールである。散薬分割マス２０４は、この散薬分割マスレール２０５に沿って左右に動作する。散薬分割マスレール２０５の左側では、レールがＲ形状で重力方向を向いており、散薬分割マスもこれに沿って下方向へ移動する。
【００２９】
図３は、上部カバー１０５を右上面から見た図であり、散薬３０１がＶマス１０１内にセットされている状態を示している。
【００３０】
３０１は散薬である。散薬はＶマス内の仕切板３０２の左側にセットする。
【００３１】
３０２は仕切板である。仕切板はＶマスの左右方向に沿ってスライド可動する構造となっている。分包する散薬の包数に応じてユーザが左右へ移動させる。
【００３２】
図４は、散薬分割マス２０４を正面から見た図である。マスの底には、マス蓋４０１が位置しており、図４は最左端のマス蓋４０１が開き、それ以外は閉じた状態の図である。
【００３３】
４０１は、マス蓋である。マス蓋４０１はヒンジ４０２を軸として開閉する構造となっている。マス蓋４０１は金属製であり、散薬分割マス２０４上方に位置するマグネット（不図示）の磁力により引き寄せられて閉じる構造となっている。
【００３４】
前述のように、マス蓋４０１はマグネットの磁力により閉じた状態となっているが、散薬分割マス２０４が左方向へ移動すると、マグネットの磁力範囲を外れることによってマス蓋４０１が開き、散薬分割マス２０４内の散薬が後述するメインホッパーに落下する構造となっている。
【００３５】
図５は、薬剤包装装置５の包装部の内部構造を示す図である。包装部は、前扉１０２の内側に位置している。
【００３６】
５０１は、分包紙である。分包紙は二つ折りとなっていて、ロール状に巻かれた状態から引き出して使用する。分包紙の内側には、ポリエチレン層がラミネート加工されている。薬剤包装装置５には右側を二つ折りの開く方向にして取り付ける。なお分包紙のことを薬包袋ともいう。
【００３７】
５０２は、メインホッパーである。錠剤ホッパー２０３及び散薬分割マス２０４から落下した薬剤は、メインホッパー５０２を通過して分包紙５０１まで到達する。
【００３８】
５０３は、シール部カバーである。シール部カバー５０３内には分包紙５０１を熱溶着する機構（後述するシールコテ）が位置しており、安全の為、シール部カバー５０３によって覆われている。
【００３９】
図６は、薬剤包装装置５の包装部の内部構造を示す図であり、図５の状態からシール部カバー５０３が開いた状態を示している。
【００４０】
６０１は、シールコテである。分包紙５０１を熱溶着するため、設定温度を保持するよう制御されている。シールコテ６０１上のＴ字の形成部分（図中の破線）は手前方向（薬剤包装装置５の正面方向）に凸状になっており、シールコテ６０１が手前へ移動することによって、分包紙５０１をＴ字状に熱溶着する。
図７は、薬剤包装装置５の包装部の一部を右上から見た図であり、分包紙５０１を搬送ローラー７０１の先まで通した状態である。
【００４１】
図７に示すように、メインホッパー５０２は分包紙の二つ折りの内側に差し込まれるため、メインホッパー５０２内を落下した薬剤は分包紙の内側底辺に到達する。
【００４２】
７０１は、搬送ローラーである。両側の搬送ローラー７０１によって分包紙５０１を挟み込んでいる。搬送ローラー７０１を回転させて一定量の分包紙５０１を搬送した後、シールコテ６０１を手前方向へ移動させ、分包紙５０１とシールコテ６０１を接触させることにより、分包紙５０１を熱溶着し、包装することができる。
【００４３】
図８は、メインホッパー５０２から分包紙５０１に投入された散薬３０１が、分包紙５０１の溶着部分まで拡散した状態を示す図である。
【００４４】
８０１は、分包紙の溶着部である。前述したように、シールコテ６０１を手前方向へ移動することにより、シールコテ６０１のＴ字凸部分が分包紙５０１に接触して、分包紙５０１が溶着される。しかし、図８の散薬３０１−２に示すように、分包紙で１包に包装する散薬の量がある量を超えると、ホッパーから分包紙内へ散薬が投入された後に、散薬が分包紙内に拡散（堆積）し、分包紙を包装すべく溶着する溶着部分まで拡散する場合がある。
【００４５】
図９は、図８に示したように、散薬３０１が、分包紙５０１のこれから溶着部となる部分まで拡散した状態で分包紙５０１が溶着され、分包紙の溶着部８０１へ散薬３０１−２が噛み込んだ状態を示す図である。
【００４６】
図９で示すように、散薬３０１−２が分包紙５０１の溶着部分まで拡散した状態で分包紙５０１を溶着すると、溶着部８０１に散薬が噛み込んだ状態となってしまう。そうすると、散薬が噛み込んだ部分は、シールコテ６０１によって溶けたポリエチレンがうまく回りこまないため、溶着の強度が弱い部分となり、散薬が密封包装されていない可能性がある。
【００４７】
そこで、ここからは分包紙５０１の溶着部分まで拡散した散薬３０１−２によって分包紙が溶着されない課題を解決すべく、分包紙で１包に包装する散薬の種類および散薬の量によって、シール幅を変える本発明の仕組みについて説明する。
【００４８】
まず、図１０を用いて、薬剤包装システムのハードウェア構成の一例について説明する。
【００４９】
図１０は、薬剤包装システムのハードウェア構成の一例を示すブロック図である。ここでは、情報処理装置３００のＣＰＵ３０と、薬剤包装装置５のＣＰＵ５１がそれぞれ連携して、薬剤包装装置５が制御する各装置（各ユニット）の各種動作を制御している一例を示している。しかし１つのＣＰＵが、薬剤包装システムの全ての各装置を制御する構成でも構わない。
【００５０】
まず情報処理装置３００のハードウェア構成について説明する。情報処理装置３００のＣＰＵ３０は、システムバスに接続される各デバイスやコントローラを統括的に制御することができる。また、ＲＯＭ３１あるいは外部メモリ３６には、ＣＰＵ３０の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。ＲＡＭ３３は、ＣＰＵ３０の主メモリ、ワークエリア等として機能する。ＣＰＵ３０は、処理の実行に際して必要なプログラム等をＲＡＭ３３にロードして、プログラムを実行することで各種動作を実現するものである。
【００５１】
また、ＣＰＵ３０は、キーボードや不図示のマウス等の入力端末２０９からの入力を制御する。ビデオコントローラ（ＶＣ）は、ディスプレイ３４等の表示器への表示を制御することもでき、さらに、ブートプログラム、ブラウザソフトウエア、各種のアプリケーション、フォントデータ、ユーザファイル、編集ファイル、各種データ等を記憶するハードディスク（ＨＤ）やフロッピーディスク（登録商標  ＦＤ）或いはＰＣＭＣＩＡカードスロットにアダプタを介して接続されるコンパクトフラッシュメモリ等の外部メモリ３６へのアクセスを制御することもできる。
【００５２】
またＩ／Ｆ３２は、ネットワークを介して外部機器と接続・通信するものであり、本実施形態においては薬剤包装装置５のＩ／Ｆ５０と通信可能に接続されている。
【００５３】
次に、薬剤包装装置５のハードウェア構成について説明する。薬剤包装装置５のＣＰＵ５１は、バスに接続されている各デバイスを統括的に制御することができる。ＲＯＭ５２にはＣＰＵ５１の制御ブログラムや各種制御プログラムが記憶されている。ＲＡＭ５３は、ＣＰＵ５１が動作するためのシステムワークメモリとして機能する。ＣＰＵ５１は、操作パネル１０４に対して表示制御したり、ユーザから情報の入力を受け付けることができる。
【００５４】
さらにＣＰＵ５１は、薬剤包装装置５のＶマス１０１から投入された散薬を１包に包装する際に動作させる散薬分割マス２０４を制御したり、ユーザから錠剤マス１０３に投入された錠剤を包装する際に動作させる錠剤スライド部２０２を制御したりすることができる。外部メモリ５７は、後述する図１２の処方データや、図１３の薬品データベースを記憶する。
【００５５】
薬剤包装装置５のＣＰＵ５１は、本発明における、取得手段により取得した散薬の種類を示す情報によって特定される散薬の種類によって、包装袋の１包の大きさを決定する決定手段、および、前記決定手段により決定した大きさとなるように前記包装手段により散薬を包装する前記包装袋の１包の大きさを制御する制御手段の一例である。
【００５６】
次に、図１１を用いて、薬剤包装装置５のＣＰＵ５１によるシール幅の制御について説明する。図１１の各処理は、薬剤包装装置５のメモリに記憶されたプログラムを薬剤包装装置５のＣＰＵ５１が実行することにより実現される。
【００５７】
図１１は、本発明における薬剤包装装置５のＣＰＵ５１によるシール幅制御の処理を示すフローチャートである。
【００５８】
ステップＳ１１０１において、薬剤包装装置５は、これから包装する薬品（本発明における薬剤と同義）の指定を受け付ける画面（処方入力画面）を薬剤包装装置５の操作パネル１０４に表示し、薬品の指定を受け付ける。具体的には、薬品名や、合計包装数（例えば、１日３回を７日分で合計２１包という情報）と、服用のタイミング（例えば朝食後等）、各服用のタイミングで飲むべき薬品の量の入力を受け付ける。
【００５９】
ステップＳ１１０１で、これから包装する薬品の指定を受け付けた結果得られるデータ（処方データ）は、例えば、後述する図１２である。
【００６０】
ステップＳ１１０２において、薬剤包装装置５は、処方データに含まれる薬品すべてに対して、薬品データベース（後述する図１３）を参照し、薬品の種類を特定する。より具体的には、図１２の処方データに含まれる薬品の薬品Ｎｏ１２０２と図１３の薬品データベースの薬品Ｎｏ１３０１が一致する薬品の剤形１３０３を参照し、散薬であるか、錠剤であるかを特定する。さらに散薬であれば散剤であるか、顆粒であるか、細粒であるかも特定する。
【００６１】
ステップＳ１１０２は、本発明における、投入手段により投入する散薬の種類を示す情報を取得する取得手段の一例である。
【００６２】
ステップＳ１１０３において、薬剤包装装置５は、シール幅設定処理を行う。ステップＳ１５０３の処理の詳細は図１５で説明する。なお、図１１のステップＳ１１０２、ステップＳ１１０３の処理は、処方データごとに実行される。
【００６３】
薬剤包装装置５は、ステップ１１０３において、シール幅を決定し、その後ユーザから操作パネル１０４を介して包装動作の開始指示を受け付けると、薬剤包装装置５は包装動作を開始する。
【００６４】
ステップＳ１１０４において、ステップＳ１１０１で入力を受け付けた処方データに錠剤が含まれていれば、錠剤シャッター２０１や錠剤スライド部２０２等の動作を行って錠剤をメインホッパー５０２に落下させる。
【００６５】
ステップＳ１１０５において、ステップＳ１１０１で入力を受け付けた処方データに散薬が含まれていれば、散薬分割マス２０４を左へ１包分移動させる動作によって、散薬をメインホッパー５０２へ落下させる。
【００６６】
ステップＳ１１０６において、薬剤包装装置５は、搬送ローラー７０１によるＳ１１０３で設定したシール幅の分包紙搬送とシールコテ６０１の手前移動によって分包紙を溶着、メインホッパー５０２内にある薬剤を包装する動作を行う。ステップＳ１１０６は、本発明における、投入手段により投入された散薬を前記包装袋により１包分ごとに包装する包装手段の一例である。
【００６７】
ステップＳ１１０７において、薬剤包装装置５は、処方データ分の包装が終了したかを確認している。終了すれば一連の分包動作を完了とし、終了していなければステップＳ１１０４へ戻る。以上で図１１の処理の説明を終了する。
【００６８】
なお、ステップＳ１１０１〜ステップＳ１１０３までの処理は、情報処理装置３００のＣＰＵ３０が行い、ステップＳ１１０３で決定したシール幅と、処方データの情報とを情報処理装置３００から薬剤包装装置５に送信し、ステップＳ１１０４以降の処理を薬剤包装装置５のＣＰＵ５１が行うようにしても良い。
【００６９】
また、本実施例では、ステップＳ１１０１で分包する薬品の選択をユーザから受け付けるとしたが、他の実施例として、薬剤包装装置５により包装する薬品が指定されたデータを外部装置（例えば、患者を診断する医師のＰＣ等）から取得しても良い。
【００７０】
各実施例において、処方データとは、ステップＳ１１０１において、薬剤包装装置５の操作パネル１０４に表示される処方入力画面を介してユーザにより入力される内容（薬品名、合計包装数、服用のタイミング等）や、薬剤包装装置５が外部装置から取得する包装する薬品が指定されたデータのことをいう。
【００７１】
次に図１２を用いて、図１１のステップＳ１１０１で薬剤包装装置５の操作パネル１０４に表示される処方入力画面を介してユーザからこれから包装する薬品の情報の入力を受け付けることによって作成される処方データについて説明する。
【００７２】
図１２は、図１１のステップＳ１１０１で薬剤包装装置５の操作パネル１０４に表示される処方入力画面を介してユーザからこれから包装する薬品の情報の入力を受け付けることによって作成される処方データを説明する図であり、この処方データは薬剤包装装置５の外部メモリ２１１で記憶する。
【００７３】
１２０１は、処方名が記録される。１２０２は、薬品Ｎｏ．である。登録されている薬品を１つ１つ管理するための番号である。値は重複しない。値は１以上の値を設定する。
【００７４】
１２０３は、薬品の薬品名（販売名）である。１２０４（「朝食後」、「昼食後」、「夕食後」の列）は、患者が薬剤を飲むべきタイミングと、患者が１回に飲まなければならない薬剤の個数（散薬の場合は、グラム数）が記載される。１２０５は、処方の合計数を示す。
【００７５】
次に図１３を用いて、薬剤包装装置５の外部メモリ２１１で記憶する薬品データベースについて説明する。なお、図１３の薬品データベースは外部装置のメモリに記憶されて、外部装置から薬剤包装装置５が取得するようにしても良い。
【００７６】
薬剤包装装置５の外部メモリ２１１で記憶している薬品データベース内容を示す図である。薬剤マスタのデータベースファイル内の１行ごとに薬剤データが記述されている。１つの薬剤と対応づけて一意に対応する各種関連情報を持つことができ、各薬剤に対して各種関連情報設定を登録することができる。
【００７７】
１３０１は薬品Ｎｏ．である。登録されている薬品を１つ１つ管理するための番号である。値は重複しない。値は１以上の値を設定する。１３０２は、薬品の薬品名（販売名）である。１３０３は、薬品の剤形である。
【００７８】
散薬の剤形には、散剤（粉末状の薬）、細粒、顆粒等の種別がある。散剤には舞い上がりやすいという性質がある。散剤は、本発明における、所定の種類の散薬である。
【００７９】
以上で図１３の説明を終了する。次に、図１４を用いて、本発明の各実施形態において、シール幅を決定するための判断基準となるシール幅を記憶するシール幅テーブルについて説明する。
【００８０】
図１４は、薬剤包装装置５の外部メモリ２１１で記憶する、本発明の各実施形態において、シール幅を決定するための判断基準となるシール幅テーブルである。
【００８１】
図１４は、後述する図１５のステップＳ１５０５、ステップＳ１５０２で、薬剤包装装置５がシール幅を決定するために用いられる。
【００８２】
薬剤の種類１４０１は、薬剤の種類を表し、具体的には、錠剤や、散薬等を表す。なお、散薬の場合には、散薬の中でも散剤、細粒、顆粒等を表す。
【００８３】
１包の分包量１４０２は、シール幅を第１の幅から第２の幅に切り替える基準となる分包紙で１包に包装する散薬の量を示す。
【００８４】
１包の分包量１４０２は散薬の種類によって異なるが、これは、顆粒は密度が低い傾向にあるため、２．５ｇを超えると分包紙の接着部分に噛み込みが発生するリスクが高くなり、細粒は密度が高い傾向にあるため、３．５ｇを超えると分包紙の接着部分に噛み込みが発生するリスクが高くなり、散剤は微粉末で軽量であり、分包紙内で薄く広がりやすく、かつ、投入により拡散しやすいため、２．０ｇを超えると分包紙の接着部分に噛み込みが発生するリスクが高くなるという各散薬の特性によって決められている。
【００８５】
また、本実施例では、１包の分包量１４０２を「≧〜ｇ（〜ｇ以上）」や「＜〜ｇ（〜ｇ未満）」という定義をしたが、１包の分包量１４０２を「＞〜ｇ（〜ｇより上）」や「≦〜ｇ（〜ｇ以下）」と定義しても良いことは言うまでもない。
【００８６】
シール幅１４０３は、図１５のステップＳ１５０５、ステップＳ１５０２で、薬剤包装装置５が決定するシール幅を表す。
【００８７】
なお、本実施例においては、薬剤の種類１４０１が錠剤となっている行のシール幅１４０３が、本実施例における第１のシール幅（標準幅）と同じ幅である。
【００８８】
図１４のデータテーブルの見方としては、例えば、図１４の上から２段目のデータを例にすると、処方データに含まれる薬剤の種類１４０１が顆粒の場合で、かつ、１包に包装する顆粒の量が２．５ｇ未満である場合にシール幅を７０ｍｍに設定するという見方をする。
【００８９】
なお、本発明では、図１４の各データテーブルにおいて薬剤の種類ごとに設定される２つのシール幅のうち、短いほうのシール幅を第１の幅と呼び、長いほうのシール幅を第２の幅と呼ぶ（例えば、図１４では、７０ｍｍが第１の幅となり、８０ｍｍが第２の幅となる）。
次に、図１５を用いて図１１のステップＳ１１０３の処理の詳細について説明する。
【００９０】
図１５は、本発明における薬剤包装装置５のＣＰＵ５１による図１１のステップＳ１１０３の処理の詳細を示すフローチャートである。
【００９１】
ステップＳ１５０１において、薬剤包装装置５は、ステップＳ１１０２の処理の結果、処方データに含まれる薬品に散薬があったか否かを判定する。処方データに含まれる薬品に散薬があれば、薬剤包装装置５は、ステップＳ１５０３に処理を移行させ、処方データに含まれる薬品に散薬がなければ、薬剤包装装置５は、ステップＳ１５０２に処理を移行させる。
【００９２】
ステップＳ１５０２において、薬剤包装装置５は、シール幅を第一の幅（具体的には７０ｍｍ）に設定する。
【００９３】
ステップＳ１５０２は、本発明における、取得手段により取得した散薬の１包ごとの量が、当該散薬の種類に応じた所定の量以上である場合に、当該散薬の種類に応じた所定の量より当該散薬の１包ごとの体積が小さい場合より前記包装袋の１包の大きさが大きくなるように決定する決定手段の一例である。
【００９４】
第一の幅は、標準的なシール幅であり、実際に患者向けに発行される処方箋を分包する場合、噛み込み等の問題があまり発生することなく包装できることの多い幅である。第一の幅よりも長くすると、包装内に隙間ができて、分包紙のロスとなったり、長期処方の場合には、包装した分包紙が嵩張る等の問題が発生するため、処方データに散薬を含まない場合や、処方データに散薬を含むが、分包紙１包に分包する散薬の量が所定の量を超えない場合には、シール幅を第一の幅より長くしないことが望ましい。
【００９５】
ただ、処方データに散薬を含み、かつ分包紙１包に分包する散薬の量が所定の量以上である場合には、シール幅を第一の幅より長くすることで、分包紙内で薄く広がった、あるいは、投入により拡散した散薬が、分包紙の溶着部に噛み込むことを防ぐことができる。
【００９６】
ステップＳ１５０３において、薬剤包装装置５は、ステップＳ１１０２で薬品の種類を特定した結果を基に、図１４のシール幅テーブルを参照し、当該特定された薬品の種類に応じた１包の分包量１４０２を特定する。
【００９７】
ステップＳ１５０４において、薬剤包装装置５は、ステップＳ１１０１でユーザにより入力された処方データに含まれるステップＳ１１０２で種類を特定した薬品の、分包紙で１包に包装する量（具体的には図１２の１２０４の各薬の服用タイミングにおける散薬の量）が、ステップＳ１５０３で特定した１包の分包量１４０２以上であるか否かを判定する。
【００９８】
分包紙で１包に包装する量が、１つでもステップＳ１５０３で特定した１包の分包量１４０２以上であると判定される場合には、薬剤包装装置５は、ステップＳ１５０５に処理を移行し、分包紙で１包に包装する量（具体的には図１２の１２０４の各薬の服用タイミングにおける散薬の量）が、いずれもステップＳ１５０３で特定した１包の分包量１４０２未満であると判定される場合には、薬剤包装装置５は、ステップＳ１５０２に処理を移行する。
【００９９】
ステップＳ１５０５において、薬剤包装装置５は、図１４のシール幅テーブルを参照し、ステップＳ１１０１でユーザにより入力された処方データに含まれるステップＳ１１０２で特定した薬品の種類に応じた第２の幅（具体的には、各薬剤の種類１４０１の上段のシール幅１４０３）にシール幅を設定する。
【０１００】
ステップＳ１５０５は、本発明における、取得手段により取得した散薬の１包ごとの量が、当該散薬の種類に応じた所定の量以上である場合に、当該散薬の種類に応じた所定の量より当該散薬の１包ごとの体積が小さい場合より前記包装袋の１包の大きさが大きくなるように決定する決定手段の一例である。以上で図１５の説明を終了する。
【０１０１】
なお、本実施例では、ステップＳ１５０１で処方データに含まれる薬品に散薬があると判定された場合に、散薬の種類ごとの所定の量を超えるか否かをステップＳ１５０４で判定するとしたが、他の実施例として、散薬の量の情報を用いることなく、散薬の種類に応じてシール幅を決定しても良い。以下、散薬の量の情報を用いることなく、散薬の種類に応じてシール幅を決定する実施例（以下、実施例２と呼ぶ）について説明する。
【０１０２】
実施例２では、まず、薬剤包装装置５は、ステップＳ１５０１の処理を実行した後に、薬剤包装装置５の外部メモリ２１１で記憶する図１６のシール幅テーブルを参照し、散薬の種類に応じたシール幅を特定する。
【０１０３】
図１６のシール幅テーブルは、図１４のシール幅テーブルとは異なり、シール幅を第１の幅から第２の幅に切り替える基準となる分包紙で１包に包装する散薬の量を示す１包の分包量（図１４の１４０２）は記憶されておらず、薬剤の種類１６０１に応じたシール幅１６０２が記憶されている。
【０１０４】
そして、薬剤包装装置５は、ステップＳ１１０１でユーザにより入力された処方データに含まれるステップＳ１１０２で特定した薬品の種類に応じた（具体的には、各薬剤の種類１６０１のシール幅１６０２）にシール幅を設定する（本発明における取得手段により取得した散薬の種類を示す情報によって特定される散薬の種類によって、前記包装袋の１包の大きさを決定する決定手段の一例）。以上で図１６の説明を終了する。
【０１０５】
以上で、本発明の説明を終了する。
【０１０６】
以上、本発明によると、散薬の種類によって包装袋の接合不良が発生する可能性を低減することが可能となる。
【０１０７】
上述した本発明の実施形態を構成する各手段及び各ステップは、コンピュータのＲＡＭやＲＯＭ等に記憶されたプログラムが動作することによって実現できる。装置が読み取り実行可能なこのプログラム及び前記プログラムを記録したコンピュータ読み取り可能な記録媒体は本発明に含まれる。
【０１０８】
また、本発明は、例えば、システム、装置、方法、プログラムもしくは記録媒体等としての実施形態も可能であり、具体的には、一又は複数の機器からなる装置に適用してもよい。
【０１０９】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【０１１０】
従って、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【０１１１】
また、コンピュータが、読み出したプログラムを実行することによって、前述した実施形態の機能が実現される。更に、そのプログラムの指示に基づき、コンピュータ上で稼動しているＯＳ等が、実際の処理の一部又は全部を行い、その処理によっても前述した実施形態の機能が実現され得る。
【０１１２】
更に、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行い、その処理によっても前述した実施形態の機能が実現される。
【符号の説明】
【０１１３】
１０１  Ｖマス
１０２  前扉
１０３  錠剤マス
１０４  操作パネル
１０５  上部カバー
２０１  錠剤シャッター
２０２  錠剤スライド部
２０３  錠剤ホッパー
２０４  散薬分割マス
２０５  散薬分割マスレール
３０１  散薬
３０２  仕切板
４０１  マス蓋
４０２  ヒンジ
５０１  分包紙
５０２  メインホッパー
５０３  シール部カバー
６０１  シールコテ
７０１  搬送ローラー
８０１  分包紙の溶着部
５      薬剤包装装置
３００  情報処理装置
【図１】
2017114489.tif 000003
【図２】
2017114489.tif 000004
【図３】
2017114489.tif 000005
【図４】
2017114489.tif 000006
【図５】
2017114489.tif 000007
【図６】
2017114489.tif 000008
【図７】
2017114489.tif 000009
【図８】
2017114489.tif 000010
【図９】
2017114489.tif 000011
【図１０】
2017114489.tif 000012
【図１１】
2017114489.tif 000013
【図１２】
2017114489.tif 000014
【図１３】
2017114489.tif 000015
【図１４】
2017114489.tif 000016
【図１５】
2017114489.tif 000017
【図１６】
2017114489.tif 000018